(57)【要約】      （修正有）【課題】蓋箱並びに本体箱に化粧紙を貼り付ける際には貼着片に対応する剥離紙を剥がすことで容易に化粧紙を蓋箱並びに本体箱に貼り付けることができる貼箱を提供する。【解決手段】厚紙や段ボール紙からなるボール紙によって相対向する２辺の大きさが同じに形成されたボール紙で形成した箱体１であって、該箱体は面積の大きな基部１ａと、該基部の４辺から起立可能に形成されると共に角部が直角に交差する起立辺１ｂ，１ｃとより構成し、前記基部と同じ面積を有する平面部３ａと、該平面部より延長され箱体の前記起立辺の内面長さと同じ横幅で、かつ、高さが前記起立辺の高さより長く形成された４辺部３ｂ，３ｃが形成され、また、前記４辺部の裏面側に貼着剤が塗布され、４辺毎に剥離可能な剥離紙４を貼着した化粧紙３とより構成した貼箱である。【選択図】図３
0003188708.tif 000002
【実用新案登録請求の範囲】
【請求項１】
厚紙や段ボール紙からなるボール紙によって相対向する２辺の大きさが同じに形成されたボール紙で形成した箱体であって、該箱体は面積の大きな基部と、該基部の４辺から起立可能に形成されると共に角部が直角に交差する起立辺とより構成し、前記基部と同じ面積を有する平面部と、該平面部より延長され箱体の前記起立辺の内面長さと同じ横幅で、かつ、高さが前記起立辺の高さより長く形成された４辺部が形成され、また、前記４辺部の裏面側に貼着剤が塗布され、４辺毎に分離して剥離可能な剥離紙を貼着した化粧紙とより構成したことを特徴とする貼箱。
【請求項２】
前記化粧紙における前記箱体の１つの対向する起立辺に貼着する折り返し辺の両端に前記起立辺より長く形成して縦溝を介して延長部を形成したことを特徴とする請求項１記載の貼箱。
【考案の詳細な説明】
【技術分野】
【０００１】
本考案は、家庭で作ったクッキーやケーキあるいは手作りの小物等を収納する蓋箱、本体箱からなる貼箱の外周面に貼り付けする化粧紙の、裏面側に糊を貼着し、該糊付け面に剥離紙を貼り付け、かつ、各片毎に剥離紙が分離されていることによって前記蓋箱並びに本体箱に化粧紙を貼り付ける際には貼着片に対応する剥離紙を剥がすことで容易に化粧紙を蓋箱並びに本体箱に貼り付けることができる貼箱に関する。
【背景技術】
【０００２】
従来において個人が貼箱を作成する先行文献としては、例えば、特開２００５−２１２８００号公報に記載されているように、厚紙の蓋箱、本体箱に化粧紙を貼り付ける手段としては、蓋箱、本体箱を組立てた状態において化粧紙に糊を塗布して糊付けした化粧紙を蓋箱や本体箱の外周に糊付けして貼箱を形成するものであった。
【０００３】
前記した先行文献にあっては、蓋箱や本体箱に化粧紙を貼り付ける際に化粧紙の裏面に糊を塗布し、この糊付け状態において蓋箱や本体箱の外周面に糊面を貼着して蓋箱や本体箱に化粧紙を貼り付けるものであった。
【先行技術文献】
【特許文献】
【０００４】
【特許文献１】特開２００５−２１２８００号公報
【考案の概要】
【考案が解決しようとする課題】
【０００５】
ところで、前記した如く従来は、蓋箱や本体箱に化粧紙を貼り付ける時に、該化粧紙の貼着面全面に糊を塗布するものであるため、化粧紙への糊の塗布が面倒であると共に糊面が乾燥しないように急いで各片の貼着作業をしなければならず、また、該糊付け時に作業者の手に糊が付着して化粧紙の表面側が汚れたり、蓋箱や本体箱の接着面とは異なる面に化粧紙が貼り付いたりして化粧紙が使用不能になるといった問題があった。
【０００６】
本考案は前記した問題点を解決せんとするもので、その目的とするところは、蓋箱や本体箱の所望辺に貼り付ける部分の剥離紙のみを剥がして接着することで、化粧紙が蓋箱や本体箱の所望辺以外に接着されることがなく、従って、貼箱作りの未経験者であっても蓋箱や本体箱に対して化粧紙を綺麗に貼り付けることができる貼箱を提供せんとするにある。
【課題を解決するための手段】
【０００７】
本考案の貼箱は前記した目的を達成せんとするもので請求項１の手段は、厚紙や段ボール紙からなるボール紙によって相対向する２辺の大きさが同じに形成されたボール紙で形成した箱体であって、該箱体は面積の大きな基部と、該基部の４辺から起立可能に形成されると共に角部が直角に交差する起立辺とより構成し、前記基部と同じ面積を有する平面部と、該平面部より延長され箱体の前記起立辺の内面長さと同じ横幅で、かつ、高さが前記起立辺の高さより長く形成された４辺部が形成され、また、前記４辺部の裏面側に貼着剤が塗布され、４辺毎に分離して剥離可能な剥離紙を貼着した化粧紙とより構成したことを特徴とする。
【０００８】
請求項２の手段は、前記した請求項１において、前記化粧紙における前記箱体の１つの対向する起立辺に貼着する折り返し辺の両端に前記起立辺より長く形成して縦溝を介して延長部を形成したことを特徴とする。
【考案の効果】
【０００９】
本考案は前記したように、ボール紙で箱体を形成し、該箱体の外周に貼り付ける化粧紙の接着面に剥離紙を貼着し、前記箱体への各貼着辺毎に剥離紙を剥離できるようにしたので、未経験者であっても蓋箱や本体箱に対して好みの化粧紙を綺麗に貼り付けることができる。
特に箱体、化粧紙が平面状態で保管しておけるので嵩張らず必要な時に組み立て製作でき、多種類の化粧紙を用意しておくことによって使用目的にあった貼箱を選択できるといった効果がある。
【００１０】
また、化粧紙における前記箱体の幅の長い起立辺に貼着する折り返し辺の両端に前記起立辺より長く形成して縦溝を介して延長部を形成したことにより、ボール紙を箱体に組み立てた４隅に化粧紙の延長部を表面側に貼り付けると共に延長部の上端側を内側に折り込んで貼り付けることで、箱体の４隅を確実に固定することが出来るといった効果を有するものである。
【図面の簡単な説明】
【００１１】
【図１】ボール紙を箱体に形成した斜視図である。
【図２】化粧紙の箱体に貼り付ける面側の展開平面図である。
【図３】化粧紙の箱体の基部を貼り付ける面の剥離紙を剥がして接着する状態の斜視図である。
【図４】図３の箱体の基部を化粧紙に接着した状態の斜視図である。
【図５】箱体の起立辺に対応する化粧紙の剥離紙を剥がして接着する状態の斜視図である。
【図６】図５の箱体の長辺の起立辺に化粧紙の剥離紙を剥がして接着すると共に長辺の起立辺と隣接する端辺側の起立辺に化粧紙の延長部を接着した状態を示す斜視図である。
【図７】図６の化粧紙の上辺部を内側に折り曲げて内面側に接着した状態を示す斜視図である。
【図８】図７の化粧紙の延長部上端を内側に折り曲げて接着した状態を示す斜視図である。
【図９】箱体の短辺側に化粧紙の剥離紙を剥がして接着した状態の斜視図である。
【図１０】図９の箱体の短辺側に接着した化粧紙の上端を内側に折り曲げて内面側に折り曲げて接着し、箱体の各起立辺に前記と同様に化粧紙を接着した完成図の斜視図である。
【考案を実施するための形態】
【００１２】
図１は厚紙や段ボールからなるボール紙を長方形の基部１ａと、該基部１ａの折り返し溝（図示せず）を介して相対向する２つの長尺の起立辺１ｂと短尺の起立辺１ｃが形成され、かつ、起立辺１ｂと起立辺１ｃとの高さが同じに形成されており、基部１ａに対して長尺の起立辺１ｂと短尺の起立辺１ｃを立ち上げで４隅をセロハンテープ２で仮固定することで箱体１となる。前記セロハンテープ２によって箱体１を前もって形成することなく、後述する化粧紙３を貼り付けることで箱体１を形成することも勿論可能である。
【００１３】
なお、前記長尺の起立辺１ｂの幅長さは短尺の起立辺１ｃの長さに対してボール紙の厚み分だけ両端を長く形成して短尺の起立辺１ｃ端面を長尺の起立辺１ｂの端面に当接させることで、４隅の角度が９０度となり箱体１の型崩れを防止できる。
【００１４】
前記した実施例にあっては、基部１ａを長方形にした箱体１を例として示したが、基部１ａを正方形として箱体１を正四角形状の立方体としてもよい。
【００１５】
次に、前記した長方形の立方体の箱体１の表面側に貼り付ける化粧紙３の形状を図２と共に説明する。
箱体１の基部１ａと同じ面積の平面部３ａと、該平面部３ａの長辺側の幅と同じ幅で延長され、かつ、延長方向の長さを箱体１における長尺の起立辺１ｂの高さより長い長辺部３ｂを連続して形成し、また、該長辺部３ｂの長手方向の両端に連続して延長部３ｂ１を形成すると共に長辺部３ｂと延長部３ｂ１と折り返し部の先端側に縦溝３ｂ２が形成されている。
【００１６】
また、前記平面部３ａの端辺側と同じ幅で、かつ、延長方向の長さを箱体１における短尺の起立辺１ｃの高さより長い短辺部３ｃが形成されている。そして、前記した化粧紙３における平面部３ａ、長辺部３ｂ、短辺部３ｃの裏面前面には粘着剤（図示せず）が塗布され、該粘着剤面には各平面部３ａ、長辺部３ｂ、短辺部３ｃ毎に剥離可能に剥離紙４が貼着されている。
【００１７】
次に、箱体１に化粧紙３を貼り付ける手段について説明する。
先ず、化粧紙３における平面部３ａの剥離紙を剥離した状態で、図１に示す箱体１の基部１ａを一致するように近接させる（図３参照）。そして、箱体１の基部１ａを剥離紙４を剥離した化粧紙の平面部３ａに接着固定する（図４参照）。
【００１８】
次に、化粧紙３における何れか１つの長辺部３ｂに接着されている剥離紙４を剥離して箱体１における長尺の起立辺１ｂに接着固定する（図５参照）。次いで、前記長辺部３ｂより延長されている延長部３ｂ１を箱体１の短尺の起立辺１ｃ側に折り曲げて接着固定する（図６参照）。さらに、箱体１の開口部より突出している長辺部３ｂを長尺の起立辺１ｂの裏面側に折り込み接着固定する（図７参照）。また、延長部３ｂ１を縦溝３ｂ２によって短尺の起立辺１ｃの裏面側に折り返しが可能となるので、該延長部３ｂ１を取り返して接着固定する。
【００１９】
次に、延長部３ｂ１を縦溝３ｂ２によって短尺の起立辺１ｃの裏面側に折り返して接着固定する。そして、対向する残りの長辺部３ｂの剥離紙４を剥離して箱体１における他の長尺の起立辺１ｂに前記したと同様な手段によって接着固定する（図８参照）。
【００２０】
次に、化粧紙３における短辺部３ｃの何れか一方の剥離紙４を剥離して、箱体１の短尺の起立辺１ｂの表面側に接着固定し、かつ、前記起立辺１ｂより突出している短辺部３ｃを起立辺１ｂの裏面側に折り返して接着固定する（図９参照）。また、対向する残りの短辺部３ｃの剥離紙を剥離して前記したと同様な手段によって接着固定することで箱体１における短尺の起立辺１ｃの表面側前面と裏面側の一部が化粧紙３によって覆われる。
【００２１】
前記したように構成された箱体１の外周面は図柄等で綺麗に表示され、また、内周面の開口部側も図柄等で綺麗に表示され、また、延長部３ｂ１が折り返されて短尺の起立辺１ｃの裏面側に接着固定されているので、箱体１の４隅に形成されているコーナー部が破損されることがないものである。
貼箱における蓋箱も前記同様の手段によって簡単に製作できる。
【符号の説明】
【００２２】
１          箱体
１ａ        基部
１ｂ        長尺の起立辺
１ｃ        短尺の起立辺
２          セロハンテープ
３          化粧紙
３ａ        平面部
３ｂ        長辺部
３ｂ１      延長部
３ｂ２      縦溝
３ｃ        短辺部
４          剥離紙
【図１】
0003188708.tif 000003
【図２】
0003188708.tif 000004
【図３】
0003188708.tif 000005
【図４】
0003188708.tif 000006
【図５】
0003188708.tif 000007
【図６】
0003188708.tif 000008
【図７】
0003188708.tif 000009
【図８】
0003188708.tif 000010
【図９】
0003188708.tif 000011
【図１０】
0003188708.tif 000012
【手続補正書】
【提出日】平成25年11月21日(2013.11.21)
【手続補正１】
【補正対象書類名】明細書
【補正対象項目名】０００７
【補正方法】変更
【補正の内容】
【０００７】
本考案の貼箱は前記した目的を達成せんとするもので請求項１の手段は、厚紙や段ボール紙からなるボール紙によって相対向する２辺の大きさが同じに形成されたボール紙で形成した箱体であって、面積の大きな基部と、該基部の４辺から起立可能に形成されると共に角部が直角に交差する起立辺とより構成した箱体と、前記基部と同じ面積を有する平面部と、該平面部より延長され箱体の前記起立辺の内面長さと同じ横幅で、かつ、高さが前記起立辺の高さより長く形成された４辺部が形成され、また、前記４辺部の裏面側に貼着剤が塗布され、４辺毎に分離して剥離可能な剥離紙を貼着し、前記箱体の外周に貼り付けた化粧紙とより構成したことを特徴とする。
【手続補正２】
【補正対象書類名】実用新案登録請求の範囲
【補正対象項目名】請求項１
【補正方法】変更
【補正の内容】
【請求項１】
厚紙や段ボール紙からなるボール紙によって相対向する２辺の大きさが同じに形成されたボール紙で形成した箱体であって、面積の大きな基部と、該基部の４辺から起立可能に形成されると共に角部が直角に交差する起立辺とより構成した箱体と、前記基部と同じ面積を有する平面部と、該平面部より延長され箱体の前記起立辺の内面長さと同じ横幅で、かつ、高さが前記起立辺の高さより長く形成された４辺部が形成され、また、前記４辺部の裏面側に貼着剤が塗布され、４辺毎に分離して剥離可能な剥離紙を貼着し、前記箱体の外周に貼り付けた化粧紙とより構成したことを特徴とする貼箱。